(57)【要約】【課題】無駄な信号のやりとりの発生を回避しつつ、移動局ＵＥをＬＴＥ方式以外のＲＡＴに遷移させる。【解決手段】本発明に係る無線基地局ｅＮＢは、移動局ＵＥから、「ＲＲＣ  Ｃｏｎｎｅｃｔｉｏｎ  Ｒｅｑｕｅｓｔ」を受信するように構成されている受信部１２と、「ＲＲＣ  Ｃｏｎｎｅｃｔｉｏｎ  Ｒｅｑｕｅｓｔ」の受信に応じて、移動局ＵＥに対して、「ＲＲＣ  Ｃｏｎｎｅｃｔｉｏｎ  Ｒｅｊｅｃｔ」を送信するように構成されている送信部１３とを具備しており、「ＲＲＣ  Ｃｏｎｎｅｃｔｉｏｎ  Ｒｅｊｅｃｔ」は、無線基地局ＵＥが提供するＲＡＴを優先度順に通知するように構成されている。【選択図】図３
2013239859.tif 000002
【特許請求の範囲】
【請求項１】
無線基地局であって、
移動局から、コネクション設定要求信号を受信するように構成されている受信部と、
前記コネクション設定要求信号の受信に応じて、前記移動局に対して、コネクション拒絶信号を送信するように構成されている送信部とを具備しており、
前記コネクション拒絶信号は、前記無線基地局が提供する無線アクセスネットワークを優先度順に通知するように構成されていることを特徴とする無線基地局。
【請求項２】
前記コネクション拒絶信号は、前記無線基地局が提供する無線アクセスネットワークとして、ＬＴＥ方式以外の無線アクセスネットワークを通知すると共に、該無線アクセスネットワークごとに、該無線基地局が対応する周波数を優先度順に通知するように構成されていることを特徴とする請求項１に記載の無線基地局。
【請求項３】
前記コネクション拒絶信号は、前記無線基地局が提供する無線アクセスネットワークとして、ＬＴＥ方式以外の無線アクセスネットワークを通知すると共に、該無線アクセスネットワークごとに、該無線基地局が対応する周波数を１つだけ通知するように構成されていることを特徴とする請求項１に記載の無線基地局。
【請求項４】
前記コネクション拒絶信号は、前記無線基地局が提供する無線アクセスネットワークとして、ＬＴＥ方式を含む無線アクセスネットワークを通知すると共に、該無線アクセスネットワークごとに、該無線基地局が対応する周波数を優先度順に通知するように構成されていることを特徴とする請求項１に記載の無線基地局。
【請求項５】
前記コネクション拒絶信号は、前記無線基地局が提供する無線アクセスネットワークとして、ＬＴＥ方式を含む無線アクセスネットワークを通知すると共に、該無線アクセスネットワークごとに、該無線基地局が対応する周波数を１つだけ通知するように構成されていることを特徴とする請求項１に記載の無線基地局。
【請求項６】
無線基地局であって、
ＬＴＥ方式の無線アクセスネットワークにおける周波数のキャリアにおいて、移動局から、コネクション設定要求信号を受信するように構成されている受信部と、
前記コネクション設定要求信号の受信に応じて、前記移動局に対して、コネクション拒絶信号を送信するように構成されている送信部とを具備しており、
前記コネクション拒絶信号は、ＬＴＥ方式の無線アクセスネットワークにおける複数の遷移先の周波数を優先度順に通知するように構成されていることを特徴とする無線基地局。
【請求項７】
無線基地局に対して、コネクション設定要求信号を送信するように構成されている送信部と、
前記無線基地局から、前記コネクション設定要求信号に対するコネクション拒絶信号を受信するように構成されている受信部と、
前記コネクション拒絶信号に応じて、再接続処理を行うように構成されている再接続処理部とを具備しており、
前記コネクション拒絶信号は、前記無線基地局が提供する無線アクセスネットワークを優先度順に通知するように構成されており、
前記再接続処理部は、前記コネクション拒絶信号によって通知された前記無線アクセスネットワークに対して優先度順に再接続処理を行うように構成されていることを特徴とする移動局。
【発明の詳細な説明】
【技術分野】
【０００１】
本発明は、無線基地局及び移動局に関する。
【背景技術】
【０００２】
ＬＴＥ（Ｌｏｎｇ  Ｔｅｒｍ  Ｅｖｏｌｕｔｉｏｎ）方式の移動通信システムでは、無線基地局ｅＮＢが、移動局ＵＥが対応しているＲＡＴ及び周波数を知ることができないため、「ＲＲＣ  Ｃｏｎｎｅｃｔｉｏｎ  Ｒｅｑｕｅｓｔ」を送信した移動局ＵＥに対して、「ＲＲＣ  Ｃｏｎｎｅｃｔｉｏｎ  Ｒｅｊｅｃｔ」を送信する際に、かかる移動局ＵＥをＬＴＥ方式以外のＲＡＴ（Ｒａｄｉｏ  Ａｃｃｅｓｓ  Ｔｅｃｈｎｏｌｏｇｙ、無線アクセスネットワーク）に遷移させることができない。
【０００３】
したがって、移動局ＵＥをＬＴＥ方式以外のＲＡＴに遷移させるためには、図７に示す手順を踏む必要がある。
【０００４】
具体的には、図７に示すように、ステップＳ５００１において、移動局ＵＥは、無線基地局ｅＮＢに対して、「ＲＲＣ  Ｃｏｎｎｅｃｔｉｏｎ  Ｒｅｑｕｅｓｔ」を送信し、ステップＳ５００２において、無線基地局ｅＮＢは、移動局ＵＥに対して、「ＲＲＣ  Ｃｏｎｎｅｃｔｉｏｎ  Ｓｅｔｕｐ」を送信し、ステップＳ５００１において、移動局ＵＥは、無線基地局ｅＮＢに対して、「ＲＲＣ  Ｃｏｎｎｅｃｔｉｏｎ  Ｓｅｔｕｐ  Ｃｏｍｐｌｅｔｅ（Ａｔｔａｃｈ  Ｒｅｑｅｓｔ）」を送信する。
【０００５】
ステップＳ５００４において、無線基地局ｅＮＢは、移動管理ノードＭＭＥ（Ｍｏｂｉｌｉｔｙ  Ｍａｎａｇｅｍｅｎｔ  Ｅｎｔｉｔｙ）に対して、「Ｉｎｉｔｉａｌ  ＵＥ  Ｍｅｓｓａｇｅ」を送信する。
【０００６】
ステップＳ５００５において、移動局ＵＥと移動管理ノードＭＭＥとの間で「Ａｕｔｈｅｎｔｉｃａｔｉｏｎ/Ｓｅｃｕｒｉｔｙ」処理が行われ、ステップＳ５００６において、移動管理ノードＭＭＥは、無線基地局ｅＮＢに対して、「Ｉｎｉｔｉａｌ  Ｃｏｎｔｅｘｔ  Ｓｅｔｕｐ  Ｒｅｑｕｅｓｔ（Ａｔｔａｃｈ  Ａｃｃｅｐｔ）」を送信し、ステップＳ５００７において、無線基地局ｅＮＢは、移動局ＵＥに対して、「ＲＲＣ  ＵＥ  Ｃａｐａｂｉｌｉｔｙ  Ｅｎｑｕｉｒｙ」を送信する。
【０００７】
ステップＳ５００８において、移動局ＵＥは、無線基地局ｅＮＢに対して、「ＲＲＣ  ＵＥ  Ｃａｐａｂｉｌｉｔｙ  Ｉｎｆｏｒｍａｔｉｏｎ」を送信し、無線基地局ｅＮＢは、移動局ＵＥに対して、ステップＳ５００９において、「Ｓｅｃｕｒｉｔｙ  Ｍｏｄｅ  Ｃｏｍｍａｎｄ」を送信し、ステップＳ５０１０において、「ＲＲＣ  Ｃｏｎｎｅｃｔｉｏｎ  Ｒｅｃｏｎｆｉｇｕｒａｔｉｏｎ（Ａｔｔａｃｈ  Ａｃｃｅｐｔ）」を送信する。
【０００８】
移動局ＵＥは、無線基地局ｅＮＢに対して、ステップＳ５０１１において、「Ｓｅｃｕｒｉｔｙ  Ｍｏｄｅ  Ｃｏｍｐｌｅｔｅ」を送信し、ステップＳ５０１２において、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【０００９】
ステップＳ５０１３において、無線基地局ｅＮＢは、移動管理ノードＭＭＥに対して、「Ｉｎｔｉｔｉａｌ  Ｃｏｎｔｅｘｔ  Ｓｅｔｕｐ  Ｃｏｍｐｌｅｔｅ」を送信し、ステップＳ５０１４において、移動局ＵＥは、移動管理ノードＭＭＥに対して、「Ａｔｔａｃｈ  Ｃｏｍｐｌｅｔｅ」を送信する。
【００１０】
その後、ステップＳ５０１５において、無線基地局ｅＮＢが、移動局ＵＥに対して、遷移先のＲＡＴを指定する「ＲＲＣ  Ｃｏｎｎｅｃｔｉｏｎ  Ｒｅｌｅａｓｅ」を送信する。
【００１１】
ステップＳ５０１６において、移動局ＵＥは、「ＲＲＣ  Ｃｏｎｎｅｃｔｉｏｎ  Ｒｅｌｅａｓｅ」によって指定されたＲＡＴに対して再接続処理を行う。
【先行技術文献】
【非特許文献】
【００１２】
【非特許文献１】３ＧＰＰ  ＴＳ３６.３３１
【非特許文献２】３ＧＰＰ  ＴＳ２４.３０１
【発明の概要】
【発明が解決しようとする課題】
【００１３】
しかしながら、従来のＬＴＥ方式の移動通信システムでは、上述のように、一旦、ＲＲＣコネクションを確立した後でなければ、移動局ＵＥをＬＴＥ方式以外のＲＡＴに遷移させることができないため、無駄な信号のやりとりが発生してしまうという問題点があった。
【００１４】
また、従来のＬＴＥ方式の移動通信システムでは、「ＲＲＣ  Ｃｏｎｎｅｃｔｉｏｎ  Ｒｅｑｕｅｓｔ」内のビットは、既に、ほとんど利用されているため、移動局ＵＥは、無線基地局ｅＮＢに対して、「ＲＲＣ  Ｃｏｎｎｅｃｔｉｏｎ  Ｒｅｑｕｅｓｔ」を用いて、移動局ＵＥが対応するＲＡＴや周波数を通知することができないという問題点があった。
【００１５】
そこで、本発明は、上述の課題に鑑みてなされたものであり、無駄な信号のやりとりの発生を回避しつつ、移動局ＵＥをＬＴＥ方式以外のＲＡＴに遷移させることができる無線基地局及び移動局を提供することを目的とする。
【課題を解決するための手段】
【００１６】
本発明の第１の特徴は、無線基地局であって、移動局から、コネクション設定要求信号を受信するように構成されている受信部と、前記コネクション設定要求信号の受信に応じて、前記移動局に対して、コネクション拒絶信号を送信するように構成されている送信部とを具備しており、前記コネクション拒絶信号は、前記無線基地局が提供する無線アクセスネットワークを優先度順に通知するように構成されていることを要旨とする。
【００１７】
本発明の第２の特徴は、無線基地局であって、ＬＴＥ方式の無線アクセスネットワークにおける周波数のキャリアにおいて、移動局から、コネクション設定要求信号を受信するように構成されている受信部と、前記コネクション設定要求信号の受信に応じて、前記移動局に対して、コネクション拒絶信号を送信するように構成されている送信部とを具備しており、前記コネクション拒絶信号は、ＬＴＥ方式の無線アクセスネットワークにおける複数の遷移先の周波数を優先度順に通知するように構成されていることを要旨とする。
【００１８】
本発明の第２の特徴は、移動局であって、無線基地局に対して、コネクション設定要求信号を送信するように構成されている送信部と、前記無線基地局から、前記コネクション設定要求信号に対するコネクション拒絶信号を受信するように構成されている受信部と、前記コネクション拒絶信号に応じて、再接続処理を行うように構成されている再接続処理部とを具備しており、前記コネクション拒絶信号は、前記無線基地局が提供する無線アクセスネットワークを優先度順に通知するように構成されており、前記再接続処理部は、前記コネクション拒絶信号によって通知された前記無線アクセスネットワークに対して優先度順に再接続処理を行うように構成されていることを要旨とする。
【発明の効果】
【００１９】
以上説明したように、本発明によれば、無駄な信号のやりとりの発生を回避しつつ、移動局ＵＥをＬＴＥ方式以外のＲＡＴに遷移させることができる無線基地局及び移動局を提供することができる。
【図面の簡単な説明】
【００２０】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって送信される「ＲＲＣ  Ｃｏｎｎｅｃｔｉｏｎ  Ｒｅｊｅｃｔ」のフォーマットの一例を示す図である。
【図４】本発明の第１の実施形態に係る無線基地局によって送信される「ＲＲＣ  Ｃｏｎｎｅｃｔｉｏｎ  Ｒｅｊｅｃｔ」のフォーマットの一例を示す図である。
【図５】本発明の第１の実施形態に係る移動局の機能ブロック図である。
【図６】本発明の第１の実施形態に係る移動通信システムの動作を示すシーケンス図である。
【図７】従来の移動通信システムの動作を示すシーケンス図である。
【発明を実施するための形態】
【００２１】
（本発明の第１の実施形態に係る移動通信システム）
図１乃至図６を参照して、本発明の第１の実施形態に係る移動通信システムについて説明する。
【００２２】
本実施形態に係る移動通信システムは、ＬＴＥ方式をサポートするものであって、図１に示すように、無線基地局ｅＮＢと、移動局ＵＥとを具備している。
【００２３】
図２に示すように、本実施形態に係る無線基地局ｅＮＢは、管理部１１と、受信部１２と、送信部１３とを具備している。
【００２４】
管理部１１は、無線基地局ｅＮＢが提供するＲＡＴ及びＲＡＴごとに対応する周波数を管理するように構成されている。
【００２５】
受信部１２は、移動局ＵＥから、各種信号を受信するように構成されており、送信部１３は、移動局ＵＥに対して、各種信号を送信するように構成されている。
【００２６】
例えば、受信部１２は、移動局ＵＥから、「ＲＲＣ  Ｃｏｎｎｅｃｔｉｏｎ  Ｒｅｑｕｅｓｔ」を受信するように構成されている。
【００２７】
また、送信部１３は、受信部１２によって「ＲＲＣ  Ｃｏｎｎｅｃｔｉｏｎ  Ｒｅｑｕｅｓｔ」が受信された場合に、移動局ＵＥに対して、「ＲＲＣ  Ｃｏｎｎｅｃｔｉｏｎ  Ｓｅｔｕｐ」又は「ＲＲＣ  Ｃｏｎｎｅｃｔｉｏｎ  Ｒｅｊｅｃｔ」を送信するように構成されている。
【００２８】
ここで、送信部１３は、「ＲＲＣ  Ｃｏｎｎｅｃｔｉｏｎ  Ｒｅｊｅｃｔ」によって、無線基地局ＵＥが提供するＲＡＴを優先度順に通知するように構成されていてもよい。
【００２９】
例えば、送信部１３は、図３に示すように、「ＲＲＣ  ＣｏｎｎｅｃｔｉｏｎＲｅｊｅｃｔ」内の情報要素「ＲｅｄｉｒｅｃｔｅｄＲＡＴＬｉｓｔ-ｒ１１」によって、無線基地局ＵＥが提供するＲＡＴを優先度順に通知するように構成されていてもよい。
【００３０】
ここで、送信部１３は、「ＲＲＣ  Ｃｏｎｎｅｃｔｉｏｎ  Ｒｅｊｅｃｔ」によって、無線基地局ｅＮＢが提供するＲＡＴとして、ＬＴＥ方式以外のＲＡＴを通知するように構成されていてもよいし、ＬＴＥ方式を含むＲＡＴを通知するように構成されていてもよい。
【００３１】
また、送信部１３は、「ＲＲＣ  Ｃｏｎｎｅｃｔｉｏｎ  Ｒｅｊｅｃｔ」によって、無線基地局ｅＮＢが提供するＲＡＴを通知すると共に、ＲＡＴごとに、無線基地局ｅＮＢが対応する周波数を優先度順に通知するように構成されていてもよい。
【００３２】
例えば、送信部１３は、図４に示すように、「ＲＲＣ  ＣｏｎｎｅｃｔｉｏｎＲｅｊｅｃｔ」内の情報要素「ＲｅｄｉｒｅｃｔｅｄＲＡＴＣａｒｒｉｅｒＬｉｓｔ-ｒ１１」によって、無線基地局ＵＥが提供するＲＡＴを優先度順に通知すると共に、ＲＡＴごとに、無線基地局ｅＮＢが対応する周波数を優先度順に通知するように構成されていてもよい。
【００３３】
ここで、送信部１３は、「ＲＲＣ  Ｃｏｎｎｅｃｔｉｏｎ  Ｒｅｊｅｃｔ」によって、無線基地局ｅＮＢが提供するＲＡＴを通知すると共に、ＲＡＴごとに、無線基地局ｅＮＢが対応する周波数を１つだけ通知するように構成されていてもよい。
【００３４】
或いは、受信部１２が、ＬＴＥ方式のＲＡＴにおける周波数ｆ１のキャリアにおいて、移動局ＵＥから、「ＲＲＣ  Ｃｏｎｎｅｃｔｉｏｎ  Ｒｅｑｕｅｓｔ」を受信した場合に、送信部１３は、「ＲＲＣ  Ｃｏｎｎｅｃｔｉｏｎ  Ｒｅｊｅｃｔ」によって、ＬＴＥ方式のＲＡＴにおける複数の遷移先の周波数（周波数ｆ１以外の周波数）を優先度順に通知するように構成されていてもよい。
【００３５】
ここで、送信部１３は、移動局ＵＥの加入者識別情報に基づいて、「ＲＲＣ  Ｃｏｎｎｅｃｔｉｏｎ  Ｒｅｊｅｃｔ」によって、無線基地局ｅＮＢが提供するＲＡＴを通知するか否かについて、例えば、図３及び図４に示す「ＲＲＣ  Ｃｏｎｎｅｃｔｉｏｎ  Ｒｅｊｅｃｔ」内に、情報要素「ＲｅｄｉｒｅｃｔｅｄＲＡＴＬｉｓｔ-ｒ１１」又は「ＲｅｄｉｒｅｃｔｅｄＲＡＴＣａｒｒｉｅｒＬｉｓｔ-ｒ１１」を追加するか否かについて決定するように構成されていてもよい。
【００３６】
例えば、送信部１３は、移動局ＵＥの加入者識別情報として、Ｓ-ＴＭＳＩ（ＳＡＥ-Ｔｅｍｐｏｒａｒｙ  Ｍｏｂｉｌｅ  Ｓｕｂｓｃｒｉｂｅｒ  Ｉｄｅｎｔｉｔｙ）を用いるように構成されていてもよい。
【００３７】
或いは、移動局ＵＥが、Ｈｏｍｅ-ＰＬＭＮ（Ｐｕｂｌｉｃ  Ｌａｎｄ  Ｍｏｂｉｌｅ  ｎｅｔｗｏｒｋ）の契約者である場合、送信部１３は、無線基地局ｅＮＢが提供するＲＡＴを通知しないと決定し、それ以外の場合には、送信部１３は、無線基地局ｅＮＢが提供するＲＡＴを通知しないと決定するように構成されていてもよい。
【００３８】
図５に示すように、本実施形態に係る移動局ＵＥは、送信部２１と、受信部２２と、再接続処理部２３とを具備している。
【００３９】
送信部２１は、無線基地局ｅＮＢに対して、各種信号を送信するように構成されており、受信部２２は、無線基地局ｅＮＢから、各種信号を受信するように構成されている。
【００４０】
例えば、送信部２１は、無線基地局ｅＮＢに対して、「ＲＲＣ  Ｃｏｎｎｅｃｔｉｏｎ  Ｒｅｑｕｅｓｔ」を送信するように構成されている。
【００４１】
また、受信部２２は、無線基地局ｅＮＢから、「ＲＲＣ  Ｃｏｎｎｅｃｔｉｏｎ  Ｒｅｑｕｅｓｔ」に対する「ＲＲＣ  Ｃｏｎｎｅｃｔｉｏｎ  Ｒｅｊｅｃｔ」を受信するように構成されている。
【００４２】
再接続処理部２３は、受信部２２によって受信された「ＲＲＣ  Ｃｏｎｎｅｃｔｉｏｎ  Ｒｅｊｅｃｔ」に応じて、再接続処理を行うように構成されている。
【００４３】
ここで、再接続処理部２３は、「ＲＲＣ  Ｃｏｎｎｅｃｔｉｏｎ  Ｒｅｊｅｃｔ」によって通知された複数のＲＡＴに対して優先度順に再接続処理を行うように構成されている。
【００４４】
例えば、再接続処理部２３は、「ＲＲＣ  Ｃｏｎｎｅｃｔｉｏｎ  Ｒｅｊｅｃｔ」によって通知された複数のＲＡＴのうち、最も優先度が高いＲＡＴに対して再接続処理を試み、かかる再接続処理に失敗した場合、次に優先度が高いＲＡＴに対して再接続処理を試みるように構成されている。なお、再接続処理部２３は、再接続処理が成功するまで、かかる試みを繰り返すように構成されている。
【００４５】
以下、図６を参照して、本実施形態に係る移動通信システムの動作について説明する。
【００４６】
図６に示すように、ステップＳ１００１において、移動局ＵＥは、無線基地局ｅＮＢに対して、「ＲＲＣ  Ｃｏｎｎｅｃｔｉｏｎ  Ｒｅｑｕｅｓｔ」を送信し、ステップＳ１００２において、無線基地局ｅＮＢは、移動局ＵＥに対して、「ＲＲＣ  ＣｏｎｎｅｃｔｉｏｎＲｅｊｅｃｔ」を送信する。
【００４７】
ステップＳ１００３において、移動局ＵＥは、「ＲＲＣ  Ｃｏｎｎｅｃｔｉｏｎ  Ｒｅｊｅｃｔ」によって通知された複数のＲＡＴに対して優先度順に再接続処理を行う。
【００４８】
本実施形態に係る発明によれば、無線基地局ｅＮＢが、移動局ＵＥが対応するＲＡＴや周波数を知らない場合であっても、移動局ＵＥと無線基地局ｅＮＢとの間で、ＲＲＣコネクションが確立されることなく、移動局ＵＥを他のＲＡＴに遷移させることができる。
【００４９】
以上に述べた本実施形態の特徴は、以下のように表現されていてもよい。
【００５０】
本実施形態の第１の特徴は、無線基地局ｅＮＢであって、移動局ＵＥから、「ＲＲＣ  Ｃｏｎｎｅｃｔｉｏｎ  Ｒｅｑｕｅｓｔ（コネクション設定要求信号）」を受信するように構成されている受信部１２と、「ＲＲＣ  Ｃｏｎｎｅｃｔｉｏｎ  Ｒｅｑｕｅｓｔ」の受信に応じて、移動局ＵＥに対して、「ＲＲＣ  Ｃｏｎｎｅｃｔｉｏｎ  Ｒｅｊｅｃｔ（コネクション拒絶信号）」を送信するように構成されている送信部１３とを具備しており、「ＲＲＣ  Ｃｏｎｎｅｃｔｉｏｎ  Ｒｅｊｅｃｔ」は、無線基地局ＵＥが提供するＲＡＴ（無線アクセスネットワーク）を優先度順に通知するように構成されていることを要旨とする。
【００５１】
本実施形態の第１の特徴において、「ＲＲＣ  Ｃｏｎｎｅｃｔｉｏｎ  Ｒｅｊｅｃｔ」は、無線基地局ｅＮＢが提供するＲＡＴとして、ＬＴＥ方式以外のＲＡＴを通知すると共に、ＲＡＴごとに、無線基地局ｅＮＢが対応する周波数を優先度順に通知するように構成されていてもよい。
【００５２】
本実施形態の第１の特徴において、「ＲＲＣ  Ｃｏｎｎｅｃｔｉｏｎ  Ｒｅｊｅｃｔ」は、無線基地局ｅＮＢが提供するＲＡＴとして、ＬＴＥ方式以外のＲＡＴを通知すると共に、ＲＡＴごとに、無線基地局ｅＮＢが対応する周波数を１つだけ通知するように構成されていてもよい。
【００５３】
本実施形態の第１の特徴において、「ＲＲＣ  Ｃｏｎｎｅｃｔｉｏｎ  Ｒｅｊｅｃｔ」は、無線基地局ｅＮＢが提供するＲＡＴとして、ＬＴＥ方式を含むＲＡＴを通知すると共に、ＲＡＴごとに、無線基地局ｅＮＢが対応する周波数を優先度順に通知するように構成されていてもよい。
【００５４】
本実施形態の第１の特徴において、「ＲＲＣ  Ｃｏｎｎｅｃｔｉｏｎ  Ｒｅｊｅｃｔ」は、無線基地局ｅＮＢが提供するＲＡＴとして、ＬＴＥ方式を含むＲＡＴを通知すると共に、ＲＡＴごとに、無線基地局ｅＮＢが対応する周波数を１つだけ通知するように構成されていてもよい。
【００５５】
本実施形態の第２の特徴は、無線基地局ｅＮＢであって、ＬＴＥ方式のＲＡＴにおける周波数のキャリアにおいて、移動局ＵＥから、「ＲＲＣ  Ｃｏｎｎｅｃｔｉｏｎ  Ｒｅｑｕｅｓｔ」を受信するように構成されている受信部１２と、「ＲＲＣ  Ｃｏｎｎｅｃｔｉｏｎ  Ｒｅｑｕｅｓｔ」の受信に応じて、移動局ＵＥに対して、「ＲＲＣ  Ｃｏｎｎｅｃｔｉｏｎ  Ｒｅｊｅｃｔ」を送信するように構成されている送信部１３とを具備しており、「ＲＲＣ  Ｃｏｎｎｅｃｔｉｏｎ  Ｒｅｊｅｃｔ」は、ＬＴＥ方式のＲＡＴにおける複数の遷移先の周波数を優先度順に通知するように構成されていることを要旨とする。
【００５６】
本実施形態の第３の特徴は、無線基地局ｅＮＢに対して、「ＲＲＣ  Ｃｏｎｎｅｃｔｉｏｎ  Ｒｅｑｕｅｓｔ」を送信するように構成されている送信部２１と、無線基地局ｅＮＢから、「ＲＲＣ  Ｃｏｎｎｅｃｔｉｏｎ  Ｒｅｑｕｅｓｔ」に対する「ＲＲＣ  Ｃｏｎｎｅｃｔｉｏｎ  Ｒｅｊｅｃｔ」を受信するように構成されている受信部２２と、「ＲＲＣ  Ｃｏｎｎｅｃｔｉｏｎ  Ｒｅｊｅｃｔ」に応じて、再接続処理を行うように構成されている再接続処理部２３とを具備しており、「ＲＲＣ  Ｃｏｎｎｅｃｔｉｏｎ  Ｒｅｊｅｃｔ」は、無線基地局ｅＮＢが提供するＲＡＴを優先度順に通知するように構成されており、再接続処理部２３は、「ＲＲＣ  Ｃｏｎｎｅｃｔｉｏｎ  Ｒｅｊｅｃｔ」によって通知された複数のＲＡＴに対して優先度順に再接続処理を行うように構成されていることを要旨とする。
【００５７】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００５８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６１】
ＵＥ…移動局
ｅＮＢ…無線基地局
１１…管理部
１２、２２…受信部
１３、２１…送信部
２３…再接続処理部
【図１】
2013239859.tif 000003
【図２】
2013239859.tif 000004
【図３】
2013239859.tif 000005
【図４】
2013239859.tif 000006
【図５】
2013239859.tif 000007
【図６】
2013239859.tif 000008
【図７】
2013239859.tif 000009